(57)【要約】【課題】画像表示装置との間で無線通信を行ってシャッタ制御信号を取得するシャッタメガネの使い勝手の向上を図る。【解決手段】シャッタメガネ２００は、位置・方向センサ２０１を備え、メガネ状態（位置、方向の状態）に基づいて、シャッタ制御信号を取得すべき画像表示装置を特定する。複数の画像表示装置がある場合、特定の画像表示装置から他の画像表示装置に視線を移したとき、メガネ状態が変化する。そのため、シャッタメガネ２００は、シャッタ制御信号を取得すべき画像表示装置を、自動的に他の画像表示装置に移し、この他の画像表示装置からシャッタ制御信号の取得を行う。したがって、ユーザは、自ら画像表示装置を選択して切り換えることが不要となり、使い勝手が向上する。【選択図】図１
2011205241.tif 000002
【特許請求の範囲】
【請求項１】
左眼シャッタおよび右眼シャッタを有するシャッタメガネ部と、
左眼画像および右眼画像を所定の周期で時分割表示する画像表示装置との間で無線通信を行う無線通信部と、
上記無線通信部により上記画像表示装置から取得されるシャッタ制御信号に基づいて、上記シャッタメガネ部の左眼シャッタおよび右眼シャッタを開閉するシャッタ駆動部と、
上記シャッタメガネ部の位置および方向のいずれかまたは両方をメガネ状態として検出してメガネ状態情報を取得するメガネ状態取得部と、
メガネ状態情報と画像表示装置のネットワークアドレス情報との組み合わせを保持する記憶部と、
上記記憶部に上記メガネ状態取得部で取得されたメガネ状態情報に対応したメガネ状態情報を含む組み合わせがあるとき、上記無線通信部に、該組み合わせに含まれる上記ネットワークアドレス情報を用いて所定の画像表示装置との間で無線通信を行わせて、該所定の画像表示装置から上記シャッタ制御信号を取得させる制御部とを備える
シャッタメガネ。
【請求項２】
上記メガネ状態取得部は、上記メガネ状態として上記シャッタメガネ部の位置および方向の両方を検出して位置情報および方向情報を取得し、
上記記憶部は、位置および方向の情報と、ネットワークアドレス情報との組み合わせを保持し、
上記制御部は、
上記記憶部に、上記メガネ状態取得部で取得される位置情報に対して所定の閾値範囲内にある位置情報を含む所定数の組み合わせがあるとき、
上記無線通信部に、該所定数の組み合わせのうち、含まれる方向情報が上記メガネ状態取得部で取得される方向情報に最も近い組み合わせに含まれるネットワークアドレス情報を用いて所定の画像表示装置との間で無線通信を行わせて、該所定の画像表示装置から上記シャッタ制御信号を取得させる
請求項１に記載のシャッタメガネ。
【請求項３】
上記記憶部に、上記メガネ情報と上記ネットワークアドレス情報との組み合わせを保持させる登録部をさらに備え、
上記登録部は、
ユーザが登録操作を行うためのユーザ操作部を有し、
上記ユーザ操作部により登録操作があるとき、上記無線通信部に、ペアリング済みの全ての上記画像表示装置に対してディスカバリコマンドを送信させ、
上記ディスカバリコマンドの送信に対応して、上記無線通信部に、所定の画像表示装置からのディスカバリレスポンスを受信させ、
上記ディスカバリレスポンスに含まれる上記所定の画像表示装置のネットワークアドレス情報と上記メガネ状態取得部で取得されるメガネ状態情報との組み合わせを、上記記憶部に保持させる
請求項１に記載のシャッタメガネ。
【請求項４】
上記制御部は、
上記記憶部に、上記メガネ状態取得部で取得されるメガネ状態に対応したメガネ情報を含む組み合わせがないとき、
上記シャッタ駆動部に、上記シャッタメガネ部の上記左眼シャッタおよび上記右眼シャッタの両方が開いた全開放状態とさせる
請求項１に記載のシャッタメガネ。
【請求項５】
上記メガネ状態取得部は、上記メガネ状態として上記シャッタメガネ部の位置および方向の両方を検出して位置情報および方向情報を取得し、
上記記憶部は、位置および方向の情報と、ネットワークアドレス情報との組み合わせを保持し、
上記制御部は、
上記記憶部に、上記メガネ状態取得部で取得される位置情報に対して所定の閾値範囲内にある位置情報を含む組み合わせがないとき、
上記シャッタ駆動部に、上記シャッタメガネ部の上記左眼シャッタおよび上記右眼シャッタの両方が開いた全開放状態とさせる
請求項４に記載のシャッタメガネ。
【請求項６】
上記無線通信部は、
上記シャッタメガネ部の上記左眼シャッタおよび上記右眼シャッタの開閉に用いる開閉用カウンタを有し、
上記画像表示装置にクロック周波数の同期を要求し、上記開閉用カウンタの値を、同期が取られたクロック周波数でカウントされる上記画像表示装置のカウンタの値と一致させ、上記開閉用カウンタの値に応じて、定期的に上記画像表示装置から上記シャッタ制御信号としてシャッタ開閉タイミングを受信する
請求項１に記載のシャッタメガネ。
【請求項７】
左眼シャッタおよび右眼シャッタを有するシャッタメガネ部と、
左眼画像および右眼画像を所定の周期で時分割表示する画像表示装置との間で無線通信を行う無線通信部と、
上記無線通信部により上記画像表示装置から取得されるシャッタ制御信号に基づいて、上記シャッタメガネ部の左眼シャッタおよび右眼シャッタを開閉するシャッタ駆動部とを備えるシャッタメガネのシャッタ制御信号取得方法であって、
記憶部に、メガネ状態情報と画像表示装置のネットワークアドレス情報との組み合わせを保持するメガネ状態登録ステップと、
上記シャッタメガネ部の位置および方向のいずれかまたは両方をメガネ状態として検出して状態情報を取得するメガネ状態取得ステップと、
上記記憶部に上記メガネ状態取得ステップで取得されたメガネ状態情報に対応したメガネ状態情報を含む組み合わせがあるとき、上記無線通信部に、該組み合わせに含まれる上記ネットワークアドレス情報を用いて所定の画像表示装置との間で無線通信を行わせて、該所定の画像表示装置から上記シャッタ制御信号を取得させる制御ステップとを有する
シャッタメガネのシャッタ制御信号取得方法。
【発明の詳細な説明】
【技術分野】
【０００１】
この発明は、シャッタメガネおよびシャッタメガネのシャッタ制御信号取得方法に関し、特に、画像表示装置との間で無線通信を行ってシャッタ制御信号を取得するシャッタメガネ等に関する。
【背景技術】
【０００２】
従来、立体画像の表示方式として、シャッタメガネ方式が知られている。このシャッタメガネ方式では、観視者に立体画像を知覚させるために、画像表示装置において視差を有する左眼画像および右眼画像を交互に表示し、シャッタメガネを通して観視させることで、観視者に立体画像を知覚させる（例えば、特許文献１、特許文献２、特許文献３参照）。
【先行技術文献】
【特許文献】
【０００３】
【特許文献１】特開平０９−１３８３８４号公報
【特許文献２】特開２０００−０３６９６９号公報
【特許文献３】特開２００３−０４５３４３号公報
【発明の概要】
【発明が解決しようとする課題】
【０００４】
画像表示装置からシャッタメガネにシャッタ開閉を制御するシャッタ制御信号を通知する方式として、赤外線を用いる、赤外線方式（ＩＲ）がある。この赤外線方式においては、他システムとの赤外線との干渉や指向性の問題がある。
【０００５】
そこで、画像表示装置からシャッタメガネにシャッタ開閉を制御するシャッタ制御信号を無線通信により通知する無線方式（ＲＦ方式）が考えられる。この無線方式においては、他システムとの赤外線との干渉や指向性の問題を解決できる。
【０００６】
この無線方式では、シャッタメガネにおいて、特定の画像表示装置と同期したシャッタ制御が行われる。そのため、複数の画像表示装置がある場合、特定の画像表示装置から他の画像表示装置に視線を移した場合、そのままでは特定の画像表示装置と同期したシャッタ制御が継続されるため、ユーザは、自ら画像表示装置を選択して切り換えることが必要となる。また、特定の画像表示装置から視線を外した場合、そのままでは特定の画像表示装置と同期したシャッタ制御が継続されるため、ユーザは周囲のものが見にくい状態におかれる。
【０００７】
この発明の目的は、画像表示装置との間で無線通信を行ってシャッタ制御信号を取得するシャッタメガネの使い勝手の向上を図ることにある。
【課題を解決するための手段】
【０００８】
この発明の概念は、
左眼シャッタおよび右眼シャッタを有するシャッタメガネ部と、
左眼画像および右眼画像を所定の周期で時分割表示する画像表示装置との間で無線通信を行う無線通信部と、
上記無線通信部により上記画像表示装置から取得されるシャッタ制御信号に基づいて、上記シャッタメガネ部の左眼シャッタおよび右眼シャッタを開閉するシャッタ駆動部と、
上記シャッタメガネ部の位置および方向のいずれかまたは両方をメガネ状態として検出して状態情報を取得するメガネ状態取得部と、
メガネ状態情報と画像表示装置のネットワークアドレス情報との組み合わせを保持する記憶部と、
上記記憶部に上記メガネ状態取得部で取得されたメガネ状態情報に対応したメガネ状態情報を含む組み合わせがあるとき、上記無線通信部に、該組み合わせに含まれる上記ネットワークアドレス情報を用いて所定の画像表示装置と無線通信を行わせて、該所定の画像表示装置から上記シャッタ制御信号を取得させる制御部とを備える
シャッタメガネにある。
【０００９】
この発明において、無線通信部により、画像表示装置との間で無線通信が行われ、シャッタ制御信号が取得される。そして、シャッタ駆動部により、このシャッタ制御信号に基づいて、シャッタメガネ部の左眼シャッタおよび右眼シャッタが開閉される。そのため、ユーザ（観視者）は、左眼シャッタを通して左眼画像のみを観察できると共に、右眼シャッタを通して右眼画像のみを観察でき、立体画像を知覚できる。
【００１０】
メガネ状態取得部により、シャッタメガネ部の位置および方向のいずれかまたは両方がメガネ状態として検出されてメガネ状態情報が取得される。記憶部には、メガネ状態情報と画像表示装置のネットワークアドレス情報との組み合わせが保持される。そして、制御部により、メガネ状態取得部で取得されたメガネ状態情報および記憶部の保持情報に基づいて、無線通信部におけるシャッタ制御信号の取得が制御される。
【００１１】
無線通信部では、記憶部にメガネ状態取得部で取得されたメガネ状態情報に対応したメガネ状態情報を含む組み合わせがあるとき、この組み合わせに含まれるネットワークアドレス情報を用いて所定の画像表示装置との間で無線通信が行われ、この所定の画像表示装置からシャッタ制御信号が取得される。
【００１２】
このように、この発明においては、シャッタメガネのメガネ状態（位置、方向の状態）に基づいて、シャッタ制御信号を取得すべき画像表示装置が特定される。そのため、複数の画像表示装置がある場合、特定の画像表示装置から他の画像表示装置に視線を移したとき、シャッタメガネ部のメガネ状態の変化に伴って、シャッタ制御信号を取得すべき画像表示装置が自動的に他の画像表示装置に特定され、この他の画像表示装置からシャッタ制御信号の取得が行われる。したがって、ユーザは、自ら画像表示装置を選択して切り換えることが不要となり、使い勝手が向上する。
【００１３】
この発明において、例えば、メガネ状態取得部は、メガネ状態としてシャッタメガネ部の位置および方向の両方を検出して位置情報および方向情報を取得し、記憶部は、位置および方向の情報と、ネットワークアドレス情報との組み合わせを保持し、制御部は、記憶部に、メガネ状態取得部で取得される位置情報に対して所定の閾値範囲内にある位置情報を含む所定数の組み合わせがあるとき、無線通信部に、この所定数の組み合わせのうち、含まれる方向情報がメガネ状態取得部で取得される方向情報に最も近い組み合わせに含まれるネットワークアドレス情報を用いて所定の画像表示装置との間で無線通信を行わせて、この所定の画像表示装置からシャッタ制御信号を取得させる、ようにしてもよい。
【００１４】
また、この発明において、例えば、記憶部に、メガネ情報とネットワークアドレス情報との組み合わせを保持させる登録部をさらに備え、登録部は、ユーザが登録操作を行うためのユーザ操作部を有し、ユーザ操作部により登録操作があるとき、無線通信部に、ペアリング済みの全ての画像表示装置に対してディスカバリコマンドを送信させ、ディスカバリコマンドの送信に対応して、無線通信部に、所定の画像表示装置からのディスカバリレスポンスを受信させ、ディスカバリレスポンスに含まれる所定の画像表示装置のネットワークアドレス情報とメガネ状態取得部で取得されるメガネ状態情報との組み合わせを、記憶部に保持させる、ようにしてもよい。
【００１５】
また、この発明において、例えば、制御部は、記憶部に、メガネ状態取得部で取得されるメガネ状態に対応したメガネ情報を含む組み合わせがないとき、シャッタ駆動部に、シャッタメガネ部の左眼シャッタおよび右眼シャッタの両方が開いた全開放状態とさせる、ようにしてもよい。この場合、特定の画像表示装置から視線を外した場合、その特定の画像表示装置と同期したシャッタ制御が継続されることはなく、左眼シャッタおよび右眼シャッタの両方が全開放とされる。そのため、ユーザは、周囲のものが見やすくなる。
【００１６】
また、この発明において、例えば、メガネ状態取得部は、メガネ状態としてシャッタメガネ部の位置および方向の両方を検出して位置情報および方向情報を取得し、記憶部は、位置および方向の情報と、ネットワークアドレス情報との組み合わせを保持し、制御部は、記憶部に、メガネ状態取得部で取得される位置情報に対して所定の閾値範囲内にある位置情報を含む組み合わせがないとき、シャッタ駆動部に、シャッタメガネ部の左眼シャッタおよび右眼シャッタの両方が開いた全開放状態とさせる、ようにしてもよい。
【００１７】
また、この発明において、例えば、無線通信部は、シャッタメガネ部の左眼シャッタおよび右眼シャッタの開閉に用いる開閉用カウンタを有し、画像表示装置にクロック周波数の同期を要求し、開閉用カウンタの値を、同期が取られたクロック周波数でカウントされる画像表示装置のカウンタの値と一致させ、開閉用カウンタの値に応じて、定期的に画像表示装置からシャッタ制御信号としてシャッタ開閉タイミングを受信する、ようにしてもよい。
【発明の効果】
【００１８】
この発明によれば、シャッタメガネ部のメガネ状態（位置、方向の状態）に基づいて、シャッタ制御信号を取得すべき画像表示装置が特定されるため、ユーザは、自ら画像表示装置を選択して切り換えることが不要となり、使い勝手が向上する。また、この発明によれば、特定の画像表示装置から視線を外した場合、左眼シャッタおよび右眼シャッタの両方が全開放とされるため、ユーザは、周囲のものが見やすくなり、使い勝手が向上する。
【図面の簡単な説明】
【００１９】
【図１】この発明の第１の実施の形態としての画像表示観察システムの構成例を示すブロック図である。
【図２】画像表示観察システムを構成する画像表示装置の構成例を示すブロック図である。
【図３】画像表示観察システムを構成するシャッタメガネの構成例を示すブロック図である。
【図４】記憶部に、位置情報および方向情報と、画像表示装置のネットワークアドレス情報との組み合わせを保持するための登録シーケンス例を示す図である。
【図５】記憶部の情報管理例を示す図である。
【図６】制御部のシャッタ制御信号の取得制御処理の手順の一例を示すフローチャートである。
【図７】画像表示装置に含まれるシャッタ制御信号の送信系と、シャッタメガネに含まれるシャッタ制御信号の受信系の構成例を示すブロック図である。
【図８】シャッタ制御信号の送信系および受信系の構成を説明するためのブロック図である。
【図９】画像表示装置とシャッタメガネとの間の一連の動作を説明するための図である。
【図１０】シャッタメガネの左眼シャッタおよび右眼シャッタの開閉タイミングの一例を示す図である。
【図１１】画像表示装置とシャッタメガネとの間の一連の動作を示すフローチャートである。
【図１２】画像表示装置とシャッタメガネとの間の一連の動作を説明するためのシーケンス図である。
【図１３】この発明の第２の実施の形態としての画像表示観察システムの構成例を示すブロック図である。
【図１４】記憶部に、位置情報および方向情報と、画像表示装置のネットワークアドレス情報との組み合わせを保持するための登録シーケンス例を示す図である。
【図１５】記憶部の情報管理例を示す図である。
【図１６】制御部のシャッタ制御信号の取得制御処理の手順の一例を示すフローチャートである。
【図１７】制御部のシャッタ制御信号の取得制御処理の手順の他の例を示すフローチャートである。
【図１８】制御部のシャッタ制御信号の取得制御処理の手順の他の例を示すフローチャートである。
【発明を実施するための形態】
【００２０】
以下、発明を実施するための形態（以下、「実施の形態」とする）について説明する。なお、説明を以下の順序で行う。
１．第１の実施の形態
２．第２の実施の形態
３．変形例
【００２１】
＜１．第１の実施の形態＞
［画像表示観察システムの構成例］
図１は、第１の実施の形態としての画像表示観察システム１０の構成例を示している。この画像表示観察システム１０は、画像表示装置１００Ａ，１００Ｂと、シャッタメガネ２００を備える。画像表示装置１００Ａ，１００Ｂは、視差を有する左眼画像および右眼画像を、所定の周期で、時分割表示する。シャッタメガネ２００は、位置・方向センサ２０１を備えている。この位置・方向センサ２０１は、シャッタメガネ２００の位置および方向を検出して、メガネ状態情報として、位置情報および方向情報を取得する。
【００２２】
図１に示す画像表示観察システム１０において、ユーザ（観視者）が、シャッタメガネ２００を装着して、画像表示装置１００Ａを観視する場合について説明する。この場合、シャッタメガネ２００では、位置・方向センサ２０１で取得される位置情報および方向情報に基づいて、この画像表示装置１００Ａとの間で無線通信が行われ、この画像表示装置１００Ａからシャッタ制御信号が取得される。
【００２３】
シャッタメガネ２００では、このシャッタ制御信号に基づいて、画像表示装置１００Ａの左眼画像および右眼画像の表示に合わせて左眼シャッタ２００Ｌおよび右眼シャッタ２００Ｒが開閉される。シャッタメガネ２００では、画像表示装置１００Ａに左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となる。ユーザは、画像表示装置１００Ａに表示される視差を有する左眼画像および右眼画像に基づいて、立体画像を認識可能となる。
【００２４】
また、図１に示す画像表示観察システム１０において、ユーザ（観視者）が、シャッタメガネ２００を装着して、画像表示装置１００Ｂの表示画像を見る場合について説明する。この場合、シャッタメガネ２００では、位置・方向センサ２０１で取得される位置情報および方向情報に基づいて、画像表示装置１００Ｂとの間で無線通信が行われ、この画像表示装置１００Ｂからシャッタ制御信号が取得される。
【００２５】
シャッタメガネ２００では、このシャッタ制御信号に基づいて、画像表示装置１００Ｂの左眼画像および右眼画像の表示に合わせて左眼シャッタ２００Ｌおよび右眼シャッタ２００Ｒが開閉される。シャッタメガネ２００では、画像表示装置１００Ｂに左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となる。ユーザは、画像表示装置１００Ｂに表示される視差を有する左眼画像および右眼画像に基づいて、立体画像を認識可能となる。
【００２６】
［画像表示装置の構成］
画像表示装置１００（１００Ａ，１００Ｂ）について説明する。図２は、画像表示装置１００の構成例を示している。この画像表示装置１００は、ＣＰＵ１０１と、フラッシュＲＯＭ１０２と、ＤＲＡＭ１０３と、内部バス１０４と、リモコン受信部１０５と、リモコン送信機１０６を有している。また、この画像表示装置１００は、アンテナ端子１１１と、デジタルチューナ１１２と、ビットストリーム処理部１１３と、３Ｄ信号処理部１１４と、映像信号制御部１１６を有している。また、この画像表示装置１００は、ＬＣＤ（Liquid Crystal Display）駆動部１１７と、ＬＣＤパネル１１８と、ＨＤＭＩ端子１２３と、ＨＤＭＩ受信部１２４と、シャッタ制御部１２５と、無線通信部１２６を有している。
【００２７】
ＣＰＵ１０１は、画像表示装置１００の各部の動作を制御する。フラッシュＲＯＭ１０２は、制御ソフトウェアの格納およびデータの保管を行う。ＤＲＡＭ１０３は、ＣＰＵ１０１のワークエリアを構成する。ＣＰＵ１０１は、フラッシュＲＯＭ１０２から読み出したソフトウェアやデータをＤＲＡＭ１０３上に展開してソフトウェアを起動させ、画像表示装置１００の各部を制御する。
【００２８】
リモコン受信部１０５は、リモコン送信機１０６から送信されたリモートコントロール信号（リモコンコード）を受信し、ＣＰＵ１０１に供給する。ＣＰＵ１０１は、このリモコンコードに基づいて、画像表示装置１００の各部を制御する。ＣＰＵ１０１、フラッシュＲＯＭ１０２およびＤＲＡＭ１０３は、内部バス１０４により、互いに接続されている。
【００２９】
アンテナ端子１１１は、受信アンテナ（図示せず）で受信されたテレビ放送信号を入力する端子である。デジタルチューナ１１２は、アンテナ端子１１１に入力されたテレビ放送信号を処理して、ユーザの選択チャネルに対応した所定のビットストリームデータを出力する。ビットストリーム処理部１１３は、ビットストリームデータからコンテンツデータとしての画像データおよび音声データなどを抽出する。
【００３０】
ＨＤＭＩ（High Definition Multimedia Interface）受信部１２４は、ＨＤＭＩに準拠した通信により、ＨＤＭＩ端子１２３に供給される非圧縮の立体画像データおよび音声データを受信する。ＨＤＭＩ端子１２３には、例えば、ディスクレコーダ、ディスクプレーヤ、セットトップボックス、ゲーム機などのＨＤＭＩソース機器が、ＨＤＭＩケーブルを介して接続される。画像表示装置１００は、ＨＤＭＩシンク機器である。
【００３１】
３Ｄ信号処理部１１４は、ＨＤＭＩ受信部１２４で受信された、あるいはビットストリーム処理部１１３で得られた立体画像データに対して、伝送方式に対応したデコード処理を行って、各フレームの左眼画像データおよび右眼画像データを順次取得して出力する。テレビ放送信号における立体画像データの伝送方式には、例えば、「Top & Bottom」方式、「Side By Side」方式、「Frame Sequential」方式などがある。また、ＨＤＭＩにおける立体画像データのＴＭＤＳ伝送データ構造（３Ｄ Video Format）には、例えば、「Frame packing」方式、「Line alternative」方式、「Side-by-Side」方式などがある。
【００３２】
映像信号制御部１１６は、３Ｄ信号処理部１１４から出力される各フレームの左眼画像データおよび右眼画像データに基づいて、立体画像表示のための画像データを生成する。すなわち、映像信号制御部１１６は、ＬＣＤパネル１１８に左眼画像→右眼画像→左眼画像→右眼画像→・・・の順で時分割表示するための画像データを生成する。ここで、左眼画像と右眼画像をそれぞれ複数フレームずつ繰り返して表示させる場合もある。その場合、映像信号制御部１１６は、例えば右眼画像→右眼画像→左眼画像→左眼画像→右眼画像→右眼画像→・・・の順に表示させるための画像データを生成する。
【００３３】
映像信号制御部１１６は、生成した画像データを、ＬＣＤ駆動部１１７に出力する。ＬＣＤ駆動部１１７は、映像信号制御部１１６からの画像データに基づいて、ＬＣＤパネル１１８を駆動し、ＬＣＤパネル１１８に、視差のある左眼画像および右眼画像を、所定の周期で時分割表示する。
【００３４】
シャッタ制御部１２５は、映像信号制御部１１６における信号処理に基づいて生成される所定の信号の伝送を受け、この信号に応じてシャッタメガネ２００のシャッタ動作を制御するシャッタ制御信号を生成する。無線通信部１２６は、シャッタメガネ２００との間で、例えばＩＥＥＥ８０２．１５．４に基づく無線通信を行う。この無線通信部１２６は、シャッタ制御部１２５で生成されたシャッタ制御信号をシャッタメガネ２００に送信する。シャッタ制御部１２５の詳細構成については、後述する。
【００３５】
画像表示装置１００の動作を説明する。アンテナ端子１１１に入力されたテレビ放送信号はデジタルチューナ１１２に供給される。このデジタルチューナ１１２では、テレビ放送信号が処理されて、ユーザの選択チャネルに対応した所定のビットストリームデータが得られる。
【００３６】
デジタルチューナ１１２から出力されるビットストリームデータは、ビットストリーム処理部１１３に供給される。このビットストリーム処理部１１３では、ビットストリームデータから画像データ、音声データなどが抽出される。ビットストリーム処理部１１３で抽出される画像データは、３Ｄ信号処理部１１４に供給される。また、ＨＤＭＩ受信部１２４では、ＨＤＭＩ端子１２３に図示しないＨＤＭＩソース機器から送信されてくる、画像データおよび音声データが受信される。このＨＤＭＩ受信部１２４で受信された画像データは、３Ｄ信号処理部１１４に供給される。
【００３７】
３Ｄ信号処理部１１４では、ＨＤＭＩ受信部１２４で受信された、あるいはビットストリーム処理部１１３で得られた立体画像データに対して、伝送方式に対応したデコード処理が行われて、各フレームの左眼画像データおよび右眼画像データが順次取得される。この左眼画像データおよび右眼画像データは、映像信号制御部１１６に供給される。
【００３８】
映像信号制御部１１６では、３Ｄ信号処理部１１４から出力される各フレームの左眼画像データおよび右眼画像データに基づいて、立体画像表示のための画像データが生成される。例えば、映像信号制御部１１６では、ＬＣＤパネル１１８に左眼画像→右眼画像→左眼画像→右眼画像→・・・の順で時分割表示するための画像データが生成される。この画像データは、ＬＣＤ駆動部１１７に供給される。ＬＣＤ駆動部１１７では、映像信号制御部１１６からの画像データに基づいて、ＬＣＤパネル１１８を駆動することが行われる。これにより、ＬＣＤパネル１１８には、視差のある左眼画像および右眼画像が、所定の周期で時分割表示される。
【００３９】
また、映像信号制御部１１６からシャッタ制御部１２５に、信号処理に基づいて生成される所定の信号が供給される。シャッタ制御部１２５では、この信号に応じてシャッタメガネ２００のシャッタ動作を制御するシャッタ制御信号が生成される。このシャッタ制御信号は、無線通信部１２６を通じて、シャッタメガネ２００に送信される。
【００４０】
［シャッタメガネの構成］
シャッタメガネ２００について説明する。図３は、シャッタメガネ２００の構成例を示している。このシャッタメガネ２００は、位置・方向センサ２０１と、ユーザ操作部２０２、制御部２０３と、無線通信部２０４と、シャッタ駆動部２０５と、メガネ部２０６を有している。位置・方向センサ２０１は、上述したように、シャッタメガネ部２０６、つまりシャッタメガネ２００の位置および方向を検出して、メガネ状態情報として、位置情報および方向情報を取得する。この位置・方向センサ２０１は、メガネ情報取得部を構成する。ユーザ操作部２０２は、ユーザが種々の操作を行うためのものであり、ユーザインタフェースを構成する。このユーザ操作部２０２には、ユーザが登録操作を行うための登録ボタンが含まれている。
【００４１】
制御部２０３は、シャッタメガネ２００の各部の動作を制御する。上述した位置・方向センサ２０１およびユーザ操作部２０２は、この制御部２０３に接続されている。この制御部２０３は、記憶部２０３ａを有している。この記憶部２０３ａには、ユーザの上述した登録ボタンの押し下げによる登録操作により、位置情報および方向情報と、画像表示装置のネットワークアドレス情報との組み合わせが保持される。制御部２０３は、記憶部２０３ａの記憶情報と、位置・方向センサ２０１の取得情報に基づき、無線通信部２０４に、特定の画像表示装置から、シャッタ制御信号を取得させる。制御部２０３による、記憶部２０３ａへの情報保持の制御処理および無線通信部２０４のシャッタ制御信号の取得制御処理については、後述する。
【００４２】
無線通信部２０４は、画像表示装置１００（１００Ａ，１００Ｂ）との間で、例えばＩＥＥＥ８０２．１５．４に基づく無線通信を行う。この無線通信部２０４は、画像表示装置１００から送信されるシャッタ制御信号を受信する。シャッタ駆動部２０５は、無線通信部２０４で受信されたシャッタ制御信号に基づいて、メガネ部２０６の左眼シャッタ２００Ｌおよび右眼シャッタ２００Ｒを開閉する。すなわち、シャッタ駆動部２０５は、画像表示装置１００に左眼画像が表示されるタイミングで、左眼シャッタ２００Ｌを開く。また、シャッタ駆動部２０５は、画像表示装置１００に右眼画像が表示されるタイミングで、右眼シャッタ２００Ｒを開く。シャッタ駆動部２０５の詳細構成については、後述する。
【００４３】
［シャッタメガネの動作］
シャッタメガネ２００の動作を説明する。最初に、記憶部２０３ａへの情報保持の動作を説明する。この動作は、制御部２０３の制御のもとに行われる。図４は、登録シーケンス例を示している。この登録シーケンス例は、画像表示装置１００Ａのネットワークアドレス情報を、位置・方向センサ２０１で取得される位置情報および方向情報と組み合わせて、記憶部２０３ａに保持する場合の例である。
【００４４】
ステップ１で、ユーザが、画像表示装置１００Ａの画面上のメニューより、３Ｄメガネ登録モードの開始操作を行う。ステップ２で、画像表示装置１００Ａは、登録モードオンの状態となる。次に、ステップ３で、ユーザは、観視位置において、シャッタメガネ２００を画像表示装置１００Ａの方向に向け、ユーザ操作部２０２にある登録ボタンを押し下げる。この登録ボタンの押し下げに対応して、ステップ４で、シャッタメガネ２００は、無線通信部２０４から、ペアリング済みの全相手に対して、ディスカバリコマンド（3D discovery command）を送信する。ここでは、ペアリング済みの相手が画像表示装置１００Ａおよび画像表示装置１００Ｂであり、これらに対してディスカバリコマンドが送信される。
【００４５】
画像表示装置１００Ａは登録モードオンの状態にあるため、ステップ５で、画像表示装置１００Ａは、ディスカバリコマンドの送信に対応して、ディスカバリレスポンス（3D discovery response）を、シャッタメガネ２００に返送する。このディスカバリレスポンスには、画像表示装置１００Ａのネットワークアドレス情報が含まれている。画像表示装置１００Ｂは登録モードオンの状態にないため、ディスカバリレスポンスを返送しない。ステップ６で、画像表示装置１００Ａは、ディスカバリレスポンスを返送した後、登録モードオフの状態となる。そして、ステップ７で、シャッタメガネ２００は、画像表示装置１００Ａのネットワークアドレス情報を、位置・方向センサ２０１で取得される位置情報および方向情報と組み合わせて、記憶部２０３ａに保持する。
【００４６】
なお、画像表示装置１００Ｂのネットワークアドレス情報を、位置・方向センサ２０１で取得される位置情報および方向情報と組み合わせて、記憶部２０３ａに保持する場合も、説明は省略するが、上述の登録シーケンス例と同様である。
【００４７】
図５は、記憶部２０３ａの情報管理例を示している。この情報管理例では、２個の組み合わせが保持されている。例えば、Table ID＝０で示される組み合わせは、ネットワークアドレス情報Ａ[ID]が「0xAAAA」で、位置情報Ｌ[ID]が「緯度：+35,65861」、「経度：+139.74544」であり、方向情報Ｄ[ID]は「+130.3°」である。例えば、Table ID＝１で示される組み合わせは、ネットワークアドレス情報Ａ[ID]が「0xBBBB」で、位置情報Ｌ[ID]が「緯度：+35,65863」、「経度：+139.74560」であり、方向情報Ｄ[ID]は「+40.1°」である。
【００４８】
次に、シャッタ制御信号の取得動作を説明する。この動作は、制御部２０３の制御のもとに行われる。図６のフローチャートは、制御部２０３の制御処理の手順の一例を示している。制御部２０３は、ステップＳＴ１において、制御処理を開始する。この制御処理は、例えば、シャッタメガネ２００の電源をオンとすることで、開始される。
【００４９】
次に、制御部２０３は、ステップＳＴ２において、位置・方向センサ２０１から位置情報Ｌと方向情報Ｄを取得する。そして、制御部２０３は、ステップＳＴ３において、記憶部２０３ａより、位置情報Ｌが、±０．００１以内の候補Ｌ[ID]を選択する。その後に、制御部２０３は、ステップＳＴ４において、該当ＩＤ（組み合わせ）があるか否かを判断する。該当ＩＤがないとき、制御部２０３は、ステップＳＴ２の処理に戻る。
【００５０】
ステップＳＴ４で該当ＩＤがあるとき、制御部２０３は、ステップＳＴ５において、方向情報Ｄと、記憶部２０３ａの該当ＩＤの方向情報を比較し、値が近いＩＤを選択し、ID_selectとする。そして、制御部２０３は、ステップＳＴ６において、記憶部２０３ａよりＡ[ID_select]のネットワークアドレス情報を取得する。そして、制御部２０３は、このステップＳＴ６において、Ａ[ID_select]のネットワークアドレス情報により対応する画像表示装置からシャッタ制御信号を取得するように、無線通信部２０４を制御する。制御部２０３は、ステップＳＴ６の処理の後、ステップＳＴ２の処理に戻る。
【００５１】
図６のフローチャートの制御処理において、シャッタメガネ２００を装着したユーザが、観視位置において、画像表示装置１００Ａに視線を向けた場合を考える。この場合、Ａ[ID_select]として、画像表示装置１００Ａのネットワークアドレス情報が取得される。そのため、無線通信部２０４は、画像表示装置１００Ａとの間で無線通信を行って、この画像表示装置１００Ａからシャッタ制御信号を取得する状態となる。
【００５２】
また、図６のフローチャートの制御処理において、シャッタメガネ２００を装着したユーザが、観視位置において、画像表示装置１００Ｂに視線を向けた場合を考える。この場合、Ａ[ID_select]として、画像表示装置１００Ａのネットワークアドレス情報が取得される。そのため、無線通信部２０４は、画像表示装置１００Ｂとの間で無線通信を行って、この画像表示装置１００Ａからシャッタ制御信号を取得する状態となる。
【００５３】
図３に示すシャッタメガネ２００において、無線通信部２０４で取得されたシャッタ制御信号はシャッタ駆動部２０５に供給される。シャッタ駆動部２０５では、シャッタ制御信号に基づいて、メガネ部２０６を構成する左眼シャッタ２００Ｌおよび右眼シャッタ２００Ｒを駆動することが行われる。
【００５４】
シャッタメガネ２００を装着したユーザが、観視位置において、画像表示装置１００Ａに視線を向けた場合、上述したように、無線通信部２０４では、この画像表示装置１００Ａから送られてくるシャッタ制御信号が取得される。そのため、メガネ部２０６の左眼シャッタ２００Ｌおよび右眼シャッタ２００Ｒは、画像表示装置１００Ａの左眼画像および右眼画像の表示に合わせて開閉される。すなわち、画像表示装置１００Ａに左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となり、画像表示装置１００Ａに表示される視差を有する左眼画像および右眼画像に基づいて、立体画像を認識可能となる。
【００５５】
また、シャッタメガネ２００を装着したユーザが、観視位置において、画像表示装置１００Ｂに視線を向けた場合、上述したように、無線通信部２０４では、この画像表示装置１００Ｂから送られてくるシャッタ制御信号が取得される。そのため、メガネ部２０６の左眼シャッタ２００Ｌおよび右眼シャッタ２００Ｒは、画像表示装置１００Ｂの左眼画像および右眼画像の表示に合わせて開閉される。すなわち、画像表示装置１００Ｂに左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となり、画像表示装置１００Ｂに表示される視差を有する左眼画像および右眼画像に基づいて、立体画像を認識可能となる。
【００５６】
［シャッタ制御信号の送受信系の詳細構成例］
ここで、画像表示装置１００のシャッタ制御信号の送信系と、シャッタメガネ２００のシャッタ制御信号の受信系の詳細構成を説明する。図７は、画像表示装置１００のシャッタ制御信号の送信系１３０と、シャッタメガネ２００のシャッタ制御信号の受信系２１０の構成例を示している。送信系１３０は、無線通信部１２６と、発振回路１３１と、カウンタ１３２と、垂直同期ラッチ回路１３３を有している。発振回路１３１、カウンタ１３２および垂直同期ラッチ回路１３３は、シャッタ制御部１２５（図２参照）を構成している。受信系２１０は、無線通信部２０４と、発振回路２３１と、カウンタ２３２と、シャッタ切替値保持部２３３と、比較部２３５と、シャッタ開閉制御部２３６を有している。発振回路２３１、カウンタ２３２、シャッタ切替値保持部２３３、比較部２３５およびシャッタ開閉制御部２３６は、シャッタ駆動部（図３参照）を構成している。
【００５７】
発振回路１３１は、水晶振動子を備えた所定の周波数で発振する回路であり、発振回路１３１が生成したクロックはカウンタ１３２に供給される。カウンタ１３２は、発振回路１３１が生成したクロックに基づいて値を増加させるカウンタである。カウンタ１３２は、シャッタメガネ２００の左眼シャッタ２００Ｌおよび右眼シャッタ２００Ｒの開閉タイミングの指示に用いるカウンタである。このカウンタ１３２の値は、カウンタ２３２と同一の値を取るように、画像表示装置１００とシャッタメガネ２００との間で制御される。
【００５８】
垂直同期ラッチ回路１３３は、送信系１３０の外部から垂直同期パルスの供給を受けたタイミングにおけるカウンタ１３２の値を保持する回路である。垂直同期ラッチ回路１３３が保持したカウンタ１３２の値は、無線通信部１２６からシャッタメガネ２００に無線送信され、受信系２１０の内部に格納される。また、無線通信部１２６は、受信系２１０の無線通信部２３４との間で、ＩＥＥＥ８０２．１５．４に基づいた無線通信を行う。
【００５９】
受信系２１０は、画像表示装置１００に対してクロック周波数の同期要求を送信したり、画像表示装置１００から無線送信されるパケットを受信してクロック周波数を同期させたり、左眼シャッタ２００Ｌおよび右眼シャッタ２００Ｒの開閉タイミングを制御する。発振回路２３１は、水晶振動子を備えた所定の周波数で発振する回路であり、発振回路２３１が生成したクロックはカウンタ２３２に供給される。
【００６０】
カウンタ２３２は、発振回路２３１が生成したクロックに基づいて値を増加させるカウンタである。カウンタ２３２は、シャッタメガネ２００の左眼シャッタ２００Ｌおよび右眼シャッタ２００Ｒの開閉を切り替えるために用いるカウンタである。このカウンタ２３２の値とシャッタ切替値保持部２３３が保持する値とを比較部２３５で比較し、両者が一致した場合に、左眼シャッタ部２００Ｌおよび右眼シャッタ２００Ｒを開閉させるように、シャッタ開閉制御部２３６で制御する。なお、カウンタ２３２のビット長は、カウンタ１３２のビット長と同一である。
【００６１】
シャッタ切替値保持部２３３は、画像表示装置１００から無線通信部１２６を介して無線送信される、シャッタ開閉タイミングを指定するカウンタの値の情報を保持するものである。発振回路２３１が生成したクロックによって増加するカウンタ２３２の値が、このシャッタ切替値保持部２３３に格納された値と一致した場合に、左眼シャッタ２００Ｌおよび右眼シャッタ２００Ｒを開閉させるように、シャッタ開閉制御部２３６で制御する。無線通信部２０４は、送信系１３０のＲＦ通信部１２６との間で、ＩＥＥＥ８０２．１５．４に基づいた無線通信を行う。
【００６２】
比較部２３５は、発振回路２３１が生成したクロックによって増加するカウンタ２３２の値と、シャッタ切替値保持部２３３に格納された値とを比較する。両者を比較して一致していれば、比較部２３５は、左眼シャッタ２００Ｌおよび右眼シャッタ２００Ｒを開閉させるように、シャッタ開閉制御部２３６に対して開閉指示を送出する。また、比較部２３５は、シャッタ切替値保持部２３３に格納される値を、次の開閉タイミングに合わせるために増加させるように、シャッタ切替値保持部２３３へ指示する。増加する値は、予め画像表示装置１００からシャッタメガネ２００に切替周期として送信される。
【００６３】
シャッタ開閉制御部２３６は、左眼シャッタ２００Ｌおよび右眼シャッタ２００Ｒを開閉させるものであり、比較部２３５からの開閉指示に基づいて右目用画像透過部２１２や左目用画像透過部２１４を開閉させる。
【００６４】
このように送信系１３０および受信系２１０を構成することにより、画像表示装置１００からシャッタメガネ２００に対して、非常に短い間隔で左眼シャッタ２００Ｌおよび右眼シャッタ２００Ｒの開閉指示を無線送信する必要がない。シャッタメガネ２００は、内部で自走するカウンタ２３２の値と、シャッタ切替値保持部２３３で保持した値との比較により、左眼シャッタ２００Ｌおよび右眼シャッタ２００Ｒを開閉することができる。
【００６５】
以上、図７を用いて、画像表示装置１００の送信系１３０およびメガネシャッタ２００の受信系２１０の構成について説明した。なお、このように画像表示装置１００から送信するカウンタの値に基づいてシャッタメガネ２００の左眼シャッタ２００Ｌおよび右眼シャッタ２００Ｒを開閉させるためには、送信系１３０および受信系２１０のクロック周波数が一致していることが必要である。したがって、シャッタメガネ２００は、左眼シャッタ２００Ｌおよび右眼シャッタ２００Ｒの開閉動作を実行する前に、送信系１３０および受信系２１０のクロック周波数を一致させる処理を実行する。
【００６６】
ここで、送信系１３０および受信系２１０のクロック周波数を一致させる処理を実行するための構成について説明する。図８は、送信系１３０および受信系２１０の構成を示す説明図であり、送信系１３０および受信系２１０のクロック周波数を一致させる処理を実行するための構成が示されている。
【００６７】
送信系１３０は、水晶振動子を備えた発振回路１３１と、無線通信部１２６と、カウンタ１６１と、カウント値ラッチ回路１６２と、タイミング発生間隔制御部１６３と、送信タイミング発生部１６４と、パケット生成部１６５を有している。受信系２１０は、発振回路２３１と、無線通信部２０４と、カウンタ２６１と、受信側カウント値ラッチ回路２６２と、カウント値取得部２６３を有している。また、受信系２１０は、受信側カウント値保持部２６４ａ、２６４ｂと、送信側カウント値保持部２６５ａ、２６５ｂと、差分取得部２６６ａ、２６６ｂと、クロック周波数制御部２６７を有している。
【００６８】
カウンタ１６１は、送信系１３０および受信系２１０のクロック周波数を一致させるためのカウンタであり、発振回路１３１で生成されたクロックに基づいて値を増加させるものである。カウント値ラッチ回路１６２は、カウンタ１６１の値をラッチするものであり、ラッチするタイミングは送信タイミング発生部１６４からのラッチ送信トリガを受け取ったタイミングである。
【００６９】
タイミング発生間隔制御部１６３は、ＲＦ通信部１３４からのパケット送信タイミングの間隔を制御するものである。タイミング発生間隔制御部１６３は、例えば数百ミリ秒間隔で送信タイミング発生部１６４に対してパケットの送信タイミングであることを通知する。シャッタメガネ２００からのクロック周波数の同期要求に応じて、タイミング発生間隔制御部１６３は送信タイミング発生部１６４への通知を開始する。
【００７０】
送信タイミング発生部１６４は、パケットの送信タイミングをパケット生成部１６５に通知するものである。タイミング発生間隔制御部１６３からの通知を受けた送信タイミング発生部１６４は、カウント値ラッチ回路１６２に対してラッチ送信トリガを送信する。また、この送信タイミング発生部１６４は、パケット生成部１６５に対して、カウント値ラッチ回路１６２がラッチしたカウント値の情報が含まれたパケットの生成を指示する。
【００７１】
パケット生成部１６５は、カウント値ラッチ回路１６２がラッチしたカウント値の情報が含まれたパケットを生成するものである。パケット生成部１６５が生成したパケットは、ＲＦ通信部１３４から無線送信される。
【００７２】
カウンタ２６１は、送信系１３０および受信系２１０のクロック周波数を一致させるためのカウンタであり、発振回路２３１で生成されたクロックに基づいて値を増加させるものである。受信側カウント値ラッチ回路２６２は、カウンタ２６１の値をラッチするものであり、ＲＦ通信部２３４が、カウント値ラッチ回路１６２がラッチしたカウント値の情報が含まれたパケットを受信したタイミングでカウンタ２６１の値をラッチするものである。受信側カウント値ラッチ回路２６２がラッチしたカウンタ２６１の値は受信側カウント値保持部２６４ａに送られる。そして、受信側カウント値保持部２６４ａに、受信側カウント値ラッチ回路２６２がラッチしたカウンタ２６１の値が送られてきたタイミングで、それまで受信側カウント値保持部２６４ａで保持していた値は受信側カウント値保持部２６４ｂへ送られる。
【００７３】
カウント値取得部２６３は、ＲＦ通信部２３４が受信したパケットに含まれている、カウント値ラッチ回路１６２がラッチしたカウント値の情報を取得するものである。カウント値取得部２６３が取得したカウント値の情報は、送信側カウント値保持部２６５ａに送られる。
【００７４】
受信側カウント値保持部２６４ａ、２６４ｂは、受信側カウント値ラッチ回路２６２がラッチしたカウンタ２６１の値を保持するものである。受信側カウント値保持部２６４ａは、ＲＦ通信部１３４から送信された、カウント値ラッチ回路１６２がラッチしたカウント値の情報が含まれたパケットを受信したタイミングにおける、受信側カウント値ラッチ回路２６２がラッチしたカウンタ２６１の値を保持する。受信側カウント値保持部２６４ｂは、前回にＲＦ通信部１３４から送信された、ラッチ回路１６２がラッチしたカウント値の情報が含まれたパケットを受信したタイミングにおける、受信側カウント値ラッチ回路２６２がラッチしたカウンタ２６１の値を保持する。
【００７５】
送信側カウント値保持部２６５ａ、２６５ｂは、カウント値取得部２６３が取得した、カウント値ラッチ回路１６２がラッチしたカウント値を保持するものである。送信側カウント値保持部２６５ａは、ＲＦ通信部１３４から送信された、カウント値ラッチ回路１６２がラッチしたカウント値の情報が含まれたパケットを受信したタイミングにおけるカウント値を保持するものである。また送信側カウント値保持部２６５ａは、前回にＲＦ通信部１３４から送信された、カウント値ラッチ回路１６２がラッチしたカウント値の情報が含まれたパケットを受信したタイミングにおけるカウント値を保持するものである。
【００７６】
差分取得部２６６ａは、受信側カウント値保持部２６４ａ、２６４ｂが保持している値の差分を取得するものである。同様に、差分取得部２６６ｂは、送信側カウント値保持部２６５ａ、２６５ｂが保持している値の差分を取得するものである。差分取得部２６６ａ、２６６ｂが取得した差分同士をクロック周波数制御部２６７で比較することで、発振回路１３１のクロック周波数と、発振回路２３１のクロック周波数とのずれをクロック周波数制御部２６７で把握することができる。
【００７７】
クロック周波数制御部２６７は、差分取得部２６６ａ、２６６ｂが取得した差分を比較し、送信側と受信側との間のクロック周波数のずれを把握し、発振回路２３１のクロック周波数を制御するものである。すなわち、受信側のカウンタ２６１の差分より送信側のカウンタ１６１の差分の方が大きければ、発振回路１３１が生成するクロックのクロック周波数の方が、発振回路２３１が生成するクロックのクロック周波数よりも高い。そのため、クロック周波数制御部２６７は、発振回路１３１のクロック周波数と合うように、高くなる方向に発振回路２３１のクロック周波数を制御する。
【００７８】
このように、送信系１３０および受信系２１０を構成することで、発振回路１３１のクロック周波数に、発振回路２３１のクロック周波数を合わせることができる。なお、シャッタ制御部２１０は、クロック周波数制御部２６７による発振回路２３１のクロック周波数の制御処理を複数回連続して実行してもよい。
【００７９】
以上、図８を用いて、送信系１３０および受信系２１０のクロック周波数を一致させる処理を実行するための構成について説明した。次に、画像表示観察システム１０の動作について説明する。
【００８０】
［画像表示装置とシャッタメガネの一連の動作］
図９は、画像表示観察システム１０に含まれる、画像表示装置１００（１００Ａ，１００Ｂ）とシャッタメガネ２００との間の一連の動作を示している。この図９においては、画像表示装置１００とシャッタメガネ２００の間のラインにおいて、実線はユニキャスト送信を表し、破線はブロードキャスト送信を表している。
【００８１】
シャッタメガネ２００を通して画像表示装置１００で時分割表示される画像を見るには、まず送信系１３０と受信系２１０のクロック周波数を合わせる必要がある。そこで、シャッタメガネ２００は、画像表示装置１００に対してクロック周波数の同期要求を無線送信する（ステップＳ１０１）。クロック周波数の同期要求パケットは、例えば、受信系２１０で生成される。
【００８２】
シャッタメガネ２００からのクロック周波数の同期要求を無線受信した画像表示装置１００は、クロック周波数の同期のためのカウンタ１６１の値が含まれたパケットをシャッタメガネ２００に対して無線送信する（ステップＳ１０２）。なお、画像表示装置１００からはカウンタ１６１の値が含まれたパケットをブロードキャスト送信している。このパケットのブロードキャスト送信については、後述する。
【００８３】
シャッタメガネ２００は、クロック周波数の同期が取れると、続いて画像表示装置１００に対して、左眼シャッタ２００Ｌおよび右眼シャッタ２００Ｒの開閉タイミングを指定するためのカウンタ１６１のカウンタ値の合致要求を無線送信する（ステップＳ１０３）。この画像表示装置１００とシャッタメガネ２００との間のカウント値の合致処理は、無線通信に要する時間および時間のばらつきを考慮して、カウンタ値が完全に一致させるまで複数回繰り返すことが望ましい。しかし、ある許容範囲内に収まった時点でカウンタ値の合致処理を完了させてもよい。
【００８４】
カウント値が合致すると、続いて画像表示装置１００からシャッタメガネ２００に対して、画像表示装置１００で時分割表示される画像像が切り替わるタイミングにおけるカウンタ１３２の値を、定期的に無線でブロードキャスト送信する（ステップＳ１０４）。このように送信されるカウンタ１３２の値は、左眼シャッタ２００Ｌおよび右眼シャッタ２００Ｒの開閉タイミングとなる。この開閉タイミングの通知は、画像表示装置１００が画像を切り替える間隔より充分長い間隔（例えば数百ミリ秒間隔）で送信される。
【００８５】
また、画像表示装置１００とシャッタメガネ２００との間のクロック周波数のずれを補正することが行われる。そのために、クロック周波数の同期のためのカウンタ１６１のカウンタ値が含まれたパケットを、画像表示装置１００からシャッタメガネ２００に対して、定期的に無線送信する（ステップＳ１０５）。もちろん、カウンタ１６１のカウンタ値が含まれたパケットの送信を、定期的に行わないことも考えられる。例えば、画像ソースの切り替わりタイミング、例えばコンテンツが変化したタイミングや、画像表示装置１００でチャンネルが切り替わったタイミングで、画像表示装置１００からブロードキャスト送信するようにしてもよい。
【００８６】
ステップＳ１０４での開閉タイミングの送信によって、シャッタメガネ２００の左眼シャッタ２００Ｌおよび右眼シャッタ２００Ｒの開閉タイミングを、画像表示装置１００が表示する画像の切替タイミングと一致させることができる。なお、画像表示装置１００が表示する画像の切替タイミングは、画像ソースの切り替え等の要因によってずれることがある。そのため、画像表示装置１００からの左眼シャッタ２００Ｌおよび右眼シャッタ２００Ｒの開閉タイミングの送信は、上述のように所定の周期で実行することが望ましい。
【００８７】
また、ステップＳ１０４での開閉タイミングの送信に合わせて、開閉タイミングに関する各種パラメータも画像表示装置１００から無線送信する。画像表示装置１００が画像を表示する際の垂直同期周波数は一つではなく、地域や装置の作りによって変化する。また、表示パネルの種類によってもシャッタメガネ２００の開閉タイミングは変化する。したがって、開閉タイミングに関する各種パラメータを画像表示装置１００からシャッタメガネ２００へ送信することで、様々な種類の画像表示装置にシャッタメガネ２００を対応させることが可能となる。
【００８８】
ＬＣＤパネル１１８（図２参照）に表示される画像を立体的な画像として知覚させる際のシャッタメガネ２００のシャッタ（液晶シャッタ）の開閉パターンは、左眼シャッタ２００Ｌと右眼シャッタ２００Ｒとが交互に開くものであり、双方が同時に開くことはない。また、クロストークを防止するために、一方のシャッタが閉じてから他方のシャッタが開くまでに、両方のシャッタが閉じている時間を設けることが望ましい。しかし、両方のシャッタが閉じている時間を長くしすぎると、それぞれのシャッタの開いている時間が短くなってしまい、ユーザの眼に到達する光の量が少なくなり、画像が暗く見えてしまう。
【００８９】
また、シャッタメガネ２００のシャッタの開閉周期は、画像表示装置１００のフレーム周期と画像の入れ替え回数により決まる。画像表示装置１００のフレーム周期は、画像ソースのフレーム周波数や、画像表示装置１００で実行する表示フレーム数の向上処理等の画質向上処理の有無により変化する。また、クロストークを防止するために両方のシャッタを閉じる時間は、画像表示装置１００の画像の入れ替え回数に影響される。また、このクロストークを防止するために両方のシャッタを閉じる時間は、表示パネルのデバイス種（ＣＲＴ、液晶、ＬＥＤ液晶、プラズマ、有機ＥＬ等）や表示パネルのスキャン方法によって最適値が変化する。なお、図２に示す画像表示装置１００は、表示パネルがＬＣＤパネル１１８であるものを示している。
【００９０】
したがって、シャッタメガネ２００のシャッタの開閉タイミングは、シャッタメガネ２００によってその最適値が決まるものではなく、画像表示装置１００の構成や画像ソースによってその最適値が決まる。また、画像ソースはユーザに立体的な画像として知覚させるもの以外にも、従来の平面的な映像として知覚させるものもある。平面的な画像を画像表示装置１００で表示する場合には、画像を見易くするためにシャッタメガネ２００のシャッタの開閉動作を停止させ、常に開いた状態にしておくことが望ましい。
【００９１】
以上より、シャッタメガネ２００のシャッタの開閉動作をどのようなタイミングで実行するかを、画像表示装置１００からシャッタメガネ２００に対してパラメータとして通知することで、シャッタメガネ２００のシャッタの開閉タイミングを最適化し易くできる。具体的には、画像表示装置１００は、シャッタの開閉周期、シャッタの画像透過時間、左右それぞれのシャッタの画像透過時間の開始までのオフセット時間を、パラメータとしてシャッタメガネ２００に対して送信する。これにより、シャッタメガネ２００の液晶シャッタの開閉タイミングを最適化できる。
【００９２】
図１０は、左眼シャッタ２００Ｌおよび右眼シャッタ２００Ｒの開閉タイミングの一例を示している。（１）は、シャッタ（液晶シャッタ）の開閉周期を表し、画像表示装置１００で表示する画像の切り替え周期と一致する。（２）は、シャッタの画像透過時間（開いている時間）を表し、シャッタメガネ２００の左眼シャッタ２００Ｌおよび右眼シャッタ２００Ｒが１周期の間に光を通す時間である。原則としては右目と左目とで画像透過時間は同一である。この画像透過時間は、画像表示装置１００の種類やフレーム周波数により最適な時間が決まる。（３），（４）は、シャッタの開閉周期の起点から左右それぞれのシャッタを開くまでのオフセット時間である。
【００９３】
画像表示装置１００から送信する、上述の（１）〜（４）のパラメータは、カウンタ１３２（カウンタ２３２）の値を基準とする。画像表示装置１００からパラメータをシャッタメガネ２００に伝達する際には、画像表示装置１００とシャッタメガネ２００のクロック周波数と、カウンタ１３２、２３２の値が同期している。そのため、カウンタ値の相対値および絶対値を上述の（１）〜（４）のパラメータとして伝達することで、シャッタメガネ２００のシャッタの開閉タイミングを、画像表示装置１００から制御することができる。
【００９４】
また、画像表示装置１００は、開閉タイミングに関する情報を送信するタイミングについても、シャッタメガネ２００に対して無線送信する。これにより、シャッタメガネ２００は、このタイミングで受信動作のオン・オフを切り替えることで電力消費を抑えることができる。
【００９５】
このように、予め画像表示装置１００とシャッタメガネ２００との間でクロック周波数の同期を取り、画像表示装置１００から左眼シャッタ２００Ｌおよび右眼シャッタ２００Ｒの開閉タイミングを定期的に通知する構成とされる。この構成により、シャッタメガネ２００では開閉タイミングが通知されるタイミングでのみ無線通信部２０４を動作させればよくなる。そのため、画像表示装置１００から画像の切り替えタイミングと同時に開閉タイミングを通知する場合に比べて、大幅に画像表示装置１００とシャッタメガネ２００の消費電力を削減できる。
【００９６】
また、予め画像表示装置１００から開閉タイミングの情報を通知することで、シャッタメガネ２００の内部で自走するカウンタ２３２に基づいて、左眼シャッタ２００Ｌおよび右眼シャッタ２００Ｒの開閉動作を継続することができる。そのため、何らかの原因でシャッタメガネ２００が画像表示装置１００からのパケットを受信できなかった場合であっても、左眼シャッタ２００Ｌおよび右眼シャッタ２００Ｒの開閉動作は良好に行行われる。
【００９７】
ここで、画像表示装置１００とシャッタメガネ２００との間で無線送受信されるパケットの種類について整理する。画像表示装置１００とシャッタメガネ２００との間で無線送受信されるパケットには、（１）クロック周波数同期要求パケット、（２）クロック周波数同期パケット、（３）カウンタ合わせパケット、が含まれる。また、画像表示装置１００とシャッタメガネ２００との間で無線送受信されるパケットには、（４）パラメータ通知パケット、（５）シャッタタイミング通知パケット、（６）シャッタタイミングとパラメータ問い合わせパケット、が含まれる。
【００９８】
（１）クロック周波数同期要求パケットは、シャッタメガネ２００から画像表示装置１００へ送信されるパケットである。画像表示装置１００は、このクロック周波数同期要求パケットを受信すると、クロック周波数の同期に用いるカウンタ１６１の値を複数回に渡ってシャッタメガネ２００に対して、（２）クロック周波数同期パケットによって返信する。
【００９９】
（２）クロック周波数同期パケットは、上述したように、（１）クロック周波数同期要求パケットを受信した表示装置が、クロック周波数の同期に用いるカウンタ１６１の値を複数回に渡ってシャッタメガネ２００に対して送信するパケットである。
【０１００】
（３）カウンタ合わせパケットは、画像表示装置１００とシャッタメガネ２００との間で、双方向で無線送受信されるパケットであり、画像表示装置１００とクロック周波数の同期が取れたシャッタメガネ２００から送信される。画像表示装置１００からはカウンタ１３２の値が返信されて、シャッタメガネ２００でのカウンタ合わせに用いられる。
【０１０１】
（４）パラメータ通知パケットは、上述したようなシャッタメガネ２００のシャッタの開閉タイミングに関する各種パラメータを、画像表示装置１００からシャッタメガネ２００に送信するためのパケットである。この（４）パラメータ通知パケットは、（２）クロック周波数同期パケットの送信と同タイミングで送信されるようにしてもよい。
【０１０２】
（５）シャッタタイミング通知パケットは、画像表示装置１００からシャッタメガネ２００に対して定期的にブロードキャスト送信されるパケットである。このパケットは、シャッタメガネ２００のシャッタの開閉タイミングをカウンタの値で通知するためのパケットである。
【０１０３】
（６）シャッタタイミングとパラメータ問い合わせパケットは、シャッタメガネ２００が画像表示装置１００からの（５）シャッタタイミング通知パケットが受信できなくなったとき、個別に、シャッタタイミング通知パケットの伝送を要求するパケットである。なお、このパケットを受信した画像表示装置１００からの応答はユニキャストで送られる。
【０１０４】
図１１のフローチャートは、画像表示装置１００とシャッタメガネ２００との間の一連の動作を示している。まず、シャッタメガネ２００は、画像表示装置１００に対してクロック周波数の同期要求を無線送信する（ステップＳ１１１）。クロック周波数の同期要求パケットは例えば受信系２１０で生成される。このシャッタメガネ２００からの同期要求が送信されるタイミングは、画像表示装置１００からシャッタ制御信号を取得するタイミングである（図６のステップＳＴ６のタイミング）。シャッタメガネ２００からのクロック周波数の同期要求を無線受信した表示装置１００は、クロック周波数の同期のためのカウンタ１６１のカウンタ値が含まれたパケットをシャッタメガネ２００に対して無線送信する。
【０１０５】
表示装置１００から無線送信された、カウンタ１６１のカウンタ値が含まれたパケットを受信したシャッタメガネ２００は、画像表示装置１００とシャッタメガネ２００のクロック周波数を合わせる処理を実行する（ステップＳ１１２）。画像表示装置１００とシャッタメガネ２００のクロック周波数を合わせる処理は、図７に示したような構成例により実行される。しかし、画像表示装置１００とシャッタメガネ２００のクロック周波数を合わせる処理を実行する構成は、図７の構成例に限定されるものではない。
【０１０６】
画像表示装置１００とシャッタメガネ２００のクロック周波数が一致すると、続いて左眼シャッタ２００Ｌおよび右眼シャッタ２００Ｒの開閉に用いるカウンタ値を、画像表示装置１００とシャッタメガネ２００とで一致させる（ステップＳ１１３）。これは、以下で実行される。すなわち、シャッタメガネ２００は、画像表示装置１００に対して、左眼シャッタ２００Ｌおよび右眼シャッタ２００Ｒの開閉タイミングを指定するためのカウンタ値の合致要求を無線送信する。一方、画像表示装置１００は、カウンタ値の合致要求に応じて、カウンタ値の情報をシャッタメガネ２００に無線送信する。
【０１０７】
カウンタ値を画像表示装置１００とシャッタメガネ２００とで一致させると、画像表示装置１００は、シャッタメガネ２００に対して、左眼シャッタ２００Ｌおよび右眼シャッタ２００Ｒの切り替え周期、開放時間などのパラメータを通知する（ステップＳ１１４）。また、画像表示装置１００は、シャッタメガネ２００に対して、左眼シャッタ２００Ｌおよび右眼シャッタ２００Ｒの開閉に用いるカウンタ値を基にした開閉タイミングを通知する（ステップＳ１１５）。
【０１０８】
なお、このパラメータは、画像表示装置１００とシャッタメガネ２００のクロック周波数が一致した時点で、画像表示装置１００からシャッタメガネ２００に送信してもよい。また、開閉タイミングを通知する際に、画像表示装置１００は現在のカウンタ値をシャッタメガネ２００に通知し、シャッタメガネ２００は受信したカウンタ値と自身のカウンタ値とを比較して、同期が外れていないかどうかを確認する（ステップＳ１１６）。
【０１０９】
ステップＳ１１６の判断の結果、画像表示装置１００とシャッタメガネ２００の同期が維持できていた場合には、シャッタメガネ２００の状態は次回の同期確認タイミング待ちとなる（ステップＳ１１７）。一方、ステップＳ１１６の判断の結果、画像表示装置１００とシャッタメガネ２００の同期が外れてしまっていた場合には、ステップＳ１１１に戻って、シャッタメガネ２００は画像表示装置１００に対してクロック周波数の同期要求を無線送信する。
【０１１０】
送信側（画像表示装置１００）と、受信側（シャッタメガネ２００）との間で、クロック周波数が完全に一致している場合、表示装置１００は、上述のように開閉タイミングを定期的に無線でブロードキャスト送信する必要はない。この場合、最初に開閉タイミングを画像表示装置１００からシャッタメガネ２００に伝達すれば、送信側と受信側のそれぞれのクロックでカウンタを進め、そのカウンタの値をベースにシャッタの開閉動作を実行できるからである。
【０１１１】
チャンネルを切り替えたり、再生されるコンテンツが切り替わったりする等して、画像表示装置１００が表示する画像の切り替えタイミングが変化した場合には、画像表示装置１００からシャッタメガネ２００に対して開閉タイミングの変更を通知する必要がある。この切り替えタイミングの変化はシャッタメガネ２００で予期できるものではない。しかし、シャッタメガネ２００を常に受信状態にしていては、受信のための電力が常に消費されてしまうこととなり、バッテリ駆動が前提であるシャッタメガネ２００のバッテリ駆動時間を長くすることはできない。
【０１１２】
そこで、シャッタメガネ２００は、クロック周波数を同期させ、カウンタ値を一致させ、画像表示装置１００から最初に切り替えに関するパラメータや切り替えタイミングを受信した後は、受信動作を間欠的に実行する。これにより、シャッタメガネ２００は受信時の電力を大幅に低減させることができ、シャッタメガネ２００のバッテリ駆動時間を長くすることができる。
【０１１３】
図１２のシーケンス図は、画像表示装置１００とシャッタメガネ２００との間の一連の動作を示している。図１２には、画像表示装置１００とシャッタメガネ２００との間の一連の動作と併せて、シャッタメガネ２００における無線通信部２０４の受信動作期間も図示している。以下、図１２を用いて表示装置１００とシャッタメガネ２００との間の一連の動作について説明する。
【０１１４】
まず、シャッタメガネ２００は、画像表示装置１００に対してクロック周波数の同期要求を無線送信する（ステップＳ１２１）。クロック周波数の同期要求パケットは、例えば、受信系２１０で生成される。このシャッタメガネ２００からの同期要求が送信されるタイミングは、画像表示装置１００からシャッタ制御信号を取得するタイミングである（図６のステップＳＴ６のタイミング）。シャッタメガネ２００からのクロック周波数の同期要求を無線受信した画像表示装置１００は、クロック周波数の同期のためのカウンタの値が含まれたパケットをシャッタメガネ２００に対して無線送信する。パケットを受信したシャッタメガネ２００は、画像表示装置１００とシャッタメガネ２００のクロック周波数を合わせる処理を実行する（ステップＳ１２２）。
【０１１５】
画像表示装置１００とシャッタメガネ２００のクロック周波数の同期が完了すると、続いて左眼シャッタ２００Ｌおよび右眼シャッタ２００Ｒの開閉に用いるカウンタ値を、画像表示装置１００とシャッタメガネ２００とで一致させる（ステップＳ１２４）。なお、このカウンタ値の一致処理に先立ち、画像表示装置１００からシャッタメガネ２００に対し、左眼シャッタ２００Ｌおよび右眼シャッタ２００Ｒの開閉に関する各種パラメータを送信してもよい（ステップＳ１２３）。
【０１１６】
カウンタ値を画像表示装置１００とシャッタメガネ２００とで一致させると、続いて、画像表示装置１００は、シャッタメガネ２００に対して、左眼シャッタ２００Ｌおよび右眼シャッタ２００Ｒの切り替え周期、開放時間などのパラメータを通知する。また、画像表示装置１００は、シャッタメガネ２００に対して、左眼シャッタ２００Ｌおよび右眼シャッタ２００Ｒの開閉に用いるカウンタ値を基にした開閉タイミングを通知する（ステップＳ１２５）。画像表示装置１００は、初回通知以降は予め設定された間隔でパラメータおよび開閉タイミングの情報を無線送信する。
【０１１７】
そして、シャッタメガネ２００は、ステップＳ１２１におけるクロック周波数の同期要求の無線送信から、画像表示装置１００からの初回通知の間までを無線通信部２０４における受信動作期間とする。そして、以後は、画像表示装置１００からのパラメータおよび開閉タイミングの情報の通知に合わせて、無線通信部２０４を所定の時間だけ受信動作させ、それ以外の時間を休止状態とする。例えば、画像表示装置１００から５００ミリ秒間隔でパラメータおよび開閉タイミングの情報が無線送信される場合に、シャッタメガネ２００は、画像表示装置１００からの無線送信のタイミングに合わせて５ミリ秒だけ無線通信部２０４を受信動作させる。
【０１１８】
ここで、この無線通信は、例えば、ＩＥＥＥ８０２．１５．４に基づくものである。ＩＥＥＥ８０２．１５．４では、休止状態から送信へ要する時間、または受信から休止状態へ要する時間が数ミリ秒程度で動作可能である。これにより、シャッタメガネ２００は、常時受信状態とする場合に比べて、無線通信に要する消費電力を１００分の１程度にまで大幅に低減させることが可能となる。なお、表示装置１００とシャッタメガネ２００との間の無線通信システムの規格は、この例に限られないことは言うまでもない。しかし、上述したように、休止状態から送信へ要する時間、または受信から休止状態へ要する時間が数ミリ秒程度以下である規格を用いることが望ましい。
【０１１９】
勿論、このようなシャッタメガネ２００の間欠的な受信動作の実現には、画像表示装置１００からもシャッタメガネ２００の受信動作期間に合わせてパラメータや開閉タイミングの情報を無線送信する必要がある。しかし、これは予め画像表示装置１００とシャッタメガネ２００との間でクロック周波数の同期を取っておくことで実現可能である。
【０１２０】
シャッタメガネ２００は、遮蔽物の存在や同期外れ等の要因により、パラメータおよび開閉タイミングの情報が正常に受信できなかった場合、画像表示装置１００に対して、パラメータおよび開閉タイミングの情報を問い合わせる（ステップＳ１２６）。これは、１度正常に受信できなかった場合に即座にシャッタメガネ２００から画像表示装置１００へ問い合わせるようにしてもよく、数度連続して正常に受信できなかった場合にシャッタメガネ２００から画像表示装置１００へ問い合わせるようにしてもよい。シャッタメガネ２００からの問い合わせを受けた画像表示装置１００は、パラメータおよび開閉タイミングの情報をシャッタメガネ２００に対して無線送信する。
【０１２１】
なお、画像表示装置１００へ問い合わせを行ってもなお画像表示装置１００からパラメータおよび開閉タイミングの情報を受信できない場合、シャッタメガネ２００は、同期が外れているものと判断する。そして、シャッタメガネ２００から画像表示装置１００に対して、改めてクロック周波数の同期要求を無線送信し、一連の処理を最初から実行する。ここで、シャッタメガネ２００から画像表示装置１００に対して改めてクロック周波数の同期要求を無線送信しても画像表示装置１００からの応答がない場合がある。その場合、画像表示装置１００の電源が切られたものと判断し、シャッタメガネ２００は電力を消費しない休止状態に自らを移行することができる。
【０１２２】
上述の図１に示す画像表示観察システム１０においては、シャッタメガネ２００（シャッタメガネ部２０６）のメガネ状態（位置、方向の状態）に基づいて、シャッタ制御信号を取得すべき画像表示装置が特定される。そのため、ユーザは、自ら画像表示装置を選択して切り換えることが不要となり、使い勝手が向上する。
【０１２３】
例えば、ユーザが、観視位置において、画像表示装置１００Ａの方向に向くとき、この画像表示装置１００Ａがシャッタ制御信号を取得すべき画像表示装置に特定される。つまり、記憶部２０３ａから、この画像表示装置１００Ａのネットワークアドレス情報が取得され、シャッタメガネ２００は、自動的に、この画像表示装置１００Ａとの間でシャッタ制御信号をするための、無線通信を行う状態となる。
【０１２４】
そのため、ユーザが、観視位置において、画像表示装置１００Ａの方向に向くとき、画像表示装置１００Ａに左眼画像が表示されるタイミングで左眼シャッタ２００Ｌが開かれ、右眼画像が表示されるタイミングで右眼シャッタ２００Ｒが開かれる。したがって、ユーザは、画像表示装置１００Ａに表示される視差を有する左眼画像および右眼画像に基づいて、立体画像を認識可能となる。
【０１２５】
また、例えば、ユーザが、観視位置において、画像表示装置１００Ｂの方向に向くとき、この画像表示装置１００Ｂがシャッタ制御信号を取得すべき画像表示装置に特定される。つまり、記憶部２０３ａから、この画像表示装置１００Ｂのネットワークアドレス情報が取得され、シャッタメガネ２００は、自動的に、この画像表示装置１００Ｂとの間でシャッタ制御信号をするための、無線通信を行う状態となる。
【０１２６】
そのため、ユーザが、観視位置において、画像表示装置１００Ｂの方向に向くとき、画像表示装置１００Ｂに左眼画像が表示されるタイミングで左眼シャッタ２００Ｌが開かれ、右眼画像が表示されるタイミングで右眼シャッタ２００Ｒが開かれる。したがって、ユーザは、画像表示装置１００Ｂに表示される視差を有する左眼画像および右眼画像に基づいて、立体画像を認識可能となる。
【０１２７】
＜２．第２の実施の形態＞
［画像表示観察システムの構成例］
図１３は、第２の実施の形態としての画像表示観察システム１０Ａの構成例を示している。この図１３において、図１と対応する部分には同一符号を付し、その詳細説明は省略する。
【０１２８】
この画像表示観察システム１０Ａは、画像表示装置１００と、シャッタメガネ２００Ａを備える。画像表示装置１００は、視差を有する左眼画像および右眼画像を、所定の周期で、時分割表示する。詳細説明は省略するが、この画像表示装置１００は、例えば、上述の図２に示すように構成される。
【０１２９】
シャッタメガネ２００Ａは、位置・方向センサ２０１を備えている。この位置・方向センサ２０１は、シャッタメガネ２００Ａの位置および方向を検出して、メガネ状態情報として、位置情報および方向情報を取得する。詳細説明は省略するが、シャッタメガネ２００Ａは、上述の図３に示すシャッタメガネ２００と同様に構成される。
【０１３０】
図１３に示す画像表示観察システム１０Ａにおいて、ユーザ（観視者）が、シャッタメガネ２００Ａを装着して、画像表示装置１００を観視する場合について説明する。この場合、シャッタメガネ２００Ａでは、位置・方向センサ２０１で取得される位置情報および方向情報に基づいて、この画像表示装置１００との間で無線通信が行われ、この画像表示装置１００からシャッタ制御信号が取得される。
【０１３１】
シャッタメガネ２００Ａでは、このシャッタ制御信号に基づいて、画像表示装置１００の左眼画像および右眼画像の表示に合わせて左眼シャッタ２００Ｌおよび右眼シャッタ２００Ｒが開閉される。つまり、シャッタメガネ２００Ａでは、画像表示装置１００に左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となる。ユーザは、画像表示装置１００に表示される視差を有する左眼画像および右眼画像に基づいて、立体画像を認識可能となる。
【０１３２】
また、図１３に示す画像表示観察システム１０Ａにおいて、ユーザ（観視者）が、シャッタメガネ２００を装着したまま、画像表示装置１００から視線を外して、周囲のもの、例えば時計などを見る場合について説明する。この場合、シャッタメガネ２００Ａでは、位置・方向センサ２０１で取得される位置情報および方向情報に基づいて、シャッタメガネ部の左眼シャッタ２００Ｌおよび右眼シャッタ２００Ｒの両方が開いた全開放状態となる。そのため、ユーザは、シャッタメガネ２００Ａを装着したままであっても、周囲のものが見やすくなる。
【０１３３】
［シャッタメガネの動作］
シャッタメガネ２００Ａの動作を説明する。最初に、記憶部２０３ａ（図３参照）への情報保持の動作を説明する。この動作は、制御部２０３の制御のもとに行われる。図１４は、登録シーケンス例を示している。この登録シーケンス例は、画像表示装置１００のネットワークアドレス情報を、位置・方向センサ２０１で取得される位置情報および方向情報と組み合わせて、記憶部２０３ａに保持する場合の例である。
【０１３４】
ステップ１で、ユーザが、画像表示装置１００の画面上のメニューより、３Ｄメガネ登録モードの開始操作を行う。ステップ２で、画像表示装置１００は、登録モードオンの状態となる。次に、ステップ３で、ユーザは、観視位置において、シャッタメガネ２００Ａを画像表示装置１００の方向に向け、ユーザ操作部２０２にある登録ボタンを押し下げる。この登録ボタンの押し下げに対応して、ステップ４で、シャッタメガネ２００Ａは、無線通信部２０４から、ペアリング済みの全相手に対して、ディスカバリコマンド（3D discovery command）を送信する。ここでは、ペアリング済みの相手が画像表示装置１００であり、これに対してディスカバリコマンドが送信される。
【０１３５】
画像表示装置１００は登録モードオンの状態にあるため、ステップ５で、画像表示装置１００は、ディスカバリコマンドの送信に対応して、ディスカバリレスポンス（3D discovery response）を、シャッタメガネ２００Ａに返送する。このディスカバリレスポンスには、画像表示装置１００のネットワークアドレス情報が含まれている。ステップ６で、画像表示装置１００は、ディスカバリレスポンスを返送した後、登録モードオフの状態となる。そして、ステップ７で、シャッタメガネ２００Ａは、画像表示装置１００のネットワークアドレス情報を、位置・方向センサ２０１で取得される位置情報および方向情報と組み合わせて、記憶部２０３ａに保持する。
【０１３６】
図１５は、記憶部２０３ａの情報管理例を示している。この情報管理例では、１個の組み合わせが保持されている。例えば、Table ID＝０で示される組み合わせは、ネットワークアドレス情報Ａ[ID]が「0xAAAA」で、位置情報Ｌ[ID]が「緯度：+35,65861」、「経度：+139.74544」であり、方向情報Ｄ[ID]は「+130.3°」である。
【０１３７】
次に、シャッタ制御信号の取得動作を説明する。この動作は、制御部２０３の制御のもとに行われる。図１６のフローチャートは、制御部２０３の制御処理の手順の一例を示している。制御部２０３は、ステップＳＴ１１において、制御処理を開始する。この制御処理は、例えば、シャッタメガネ２００Ａの電源をオンとすることで、開始される。
【０１３８】
次に、制御部２０３は、ステップＳＴ１２において、位置・方向センサ２０１から位置情報Ｌと方向情報Ｄを取得する。そして、制御部２０３は、ステップＳＴ１３において、記憶部２０３ａより、位置情報Ｌが、±０．００１以内の候補Ｌ[ID]を選択する。その後に、制御部２０３は、ステップＳＴ１４において、該当ＩＤ（組み合わせ）があるか否かを判断する。
【０１３９】
該当ＩＤがないとき、制御部２０３は、ステップＳＴ１７の処理に移る。このステップＳＴ１７において、制御部２０３は、左眼シャッタ２００Ｌおよび右眼シャッタ２００Ｒの両方が開いた全開放状態となるように、シャッタ駆動部２０５を制御する。制御部２０３は、このステップＳＴ１７の処理の後、ステップＳＴ１２の処理に戻る。
【０１４０】
ステップＳＴ１４で該当ＩＤがあるとき、制御部２０３は、ステップＳＴ１５において、方向情報Ｄと、記憶部２０３の該当ＩＤの方向情報を比較し、値が近いＩＤを選択し、ID_selectとする。そして、制御部２０３は、ステップＳＴ１６において、記憶部２０３ａよりＡ[ID_select]のネットワークアドレス情報を取得する。そして、制御部２０３は、このステップＳＴ１６において、Ａ[ID_select]のネットワークアドレス情報により対応する画像表示装置からシャッタ制御信号を取得するように、無線通信部２０４を制御する。制御部２０３は、ステップＳＴ１６の処理の後、ステップＳＴ１２の処理に戻る。
【０１４１】
図１６のフローチャートの制御処理において、シャッタメガネ２００Ａを装着したユーザが、観視位置において、画像表示装置１００に視線を向けた場合を考える。この場合、Ａ[ID_select]として、画像表示装置１００のネットワークアドレス情報が取得される。そのため、無線通信部２０４は、画像表示装置１００との間で無線通信を行って、この画像表示装置１００からシャッタ制御信号を取得する状態となる。
【０１４２】
また、図１６のフローチャートの制御処理において、シャッタメガネ２００Ａを装着したユーザが、画像表示装置１００から視線を外して周囲のものを見た場合を考える。この場合、ステップＳＴ１４で該当ＩＤがなく、そのため、画像表示装置１００からシャッタ制御信号を取得する状態となることがなく、ステップＳＴ１７で左眼シャッタ２００Ｌおよび右眼シャッタ２００Ｒは全開放状態となる。
【０１４３】
シャッタメガネ２００Ａにおいて、無線通信部２０４で取得されたシャッタ制御信号はシャッタ駆動部２０５に供給される（図３参照）。シャッタ駆動部２０５では、シャッタ制御信号に基づいて、メガネ部２０６を構成する左眼シャッタ２００Ｌおよび右眼シャッタ２００Ｒを駆動することが行われる。
【０１４４】
シャッタメガネ２００Ａを装着したユーザが、観視位置において、画像表示装置１００に視線を向けた場合、上述したように、無線通信部２０４では、この画像表示装置１００から送られてくるシャッタ制御信号が取得される。そのため、メガネ部２０６の左眼シャッタ２００Ｌおよび右眼シャッタ２００Ｒは、画像表示装置１００の左眼画像および右眼画像の表示に合わせて開閉される。すなわち、画像表示装置１００Ａに左眼画像が表示されるタイミングで左眼シャッタ２００Ｌが開かれ、右眼画像が表示されるタイミングで右眼シャッタ２００Ｒが開かれる。そのため、ユーザは、左眼で左眼画像のみの知覚が可能となり、右眼で右眼画像のみの知覚が可能となり、画像表示装置１００に表示される視差を有する左眼画像および右眼画像に基づいて、立体画像を認識可能となる。
【０１４５】
また、ユーザ（観視者）が、シャッタメガネ２００を装着したまま、画像表示装置１００から視線を外して、周囲のもの、例えば時計などを見た場合、上述したように、無線通信部２０４では、画像表示装置１００から送られてくるシャッタ制御信号は取得されない。そして、この場合、メガネ部２０６の左眼シャッタ２００Ｌおよび右眼シャッタ２００Ｒは、両方が開いた全開放状態とされる。そのため、ユーザは、シャッタメガネ２００Ａを装着したままであっても、周囲のものが見やすくなる。
【０１４６】
上述の図１３に示す画像表示観察システム１０Ａにおいては、ユーザが画像表示装置１００から視線を外した場合、その画像表示装置１００と同期したシャッタ制御が継続されることはなく、左眼シャッタ２００Ｌおよび右眼シャッタ２００Ｒの両方が全開放とされる。そのため、ユーザは、周囲のものが見やすくなる。
【０１４７】
＜３．変形例＞
なお、上述実施の形態において、図１の画像表示観察システム１０は２つの画像表示装置１００Ａ，１００Ｂを備える場合を示し、図１３の画像表示観察システム１０Ａは１つの画像表示装置１００を備える場合を示している。しかし、この発明は、画像表示装置の個数がこれらに限定されるものではなく、さらに多くの画像表示装置を備える画像表示観察システムにも同様に適用できる。
【０１４８】
また、上述実施の形態においては、シャッタメガネ２００，２００Ａは、位置・方向センサ２０１を備えるものであり、この位置・方向センサ２０１で取得される位置情報および方向情報の両方を使用するものであった（図６、図１６参照）。しかし、位置センサ、あるいは方向センサのいずれかを備え、シャッタ制御信号の取得処理を位置情報あるいは方向情報に基づいて行う構成も考えられる。
【０１４９】
例えば、図１７のフローチャートは、制御部２０３が、シャッタ制御信号の取得制御処理を、方向情報を用いて行う手順の一例を示している。この場合、図１３に示す画像表示観察システム１０Ａにおいて、シャッタメガネ２００Ａが、方向センサ２０１Ｄを備えているものとする。制御部２０３は、ステップＳＴ２１において、制御処理を開始する。この制御処理は、例えば、シャッタメガネ２００Ａの電源をオンとすることで、開始される。
【０１５０】
次に、制御部２０３は、ステップＳＴ２２において、方向センサ２０１Ｄから方向情報Ｄを取得する。そして、制御部２０３は、ステップＳＴ２３において、記憶部２０３ａより、方向情報Ｄが所定の閾値範囲内にある候補Ｄ[ID]を選択する。その後に、制御部２０３は、ステップＳＴ２４において、該当ＩＤ（組み合わせ）があるか否かを判断する。
【０１５１】
該当ＩＤがないとき、制御部２０３は、ステップＳＴ２７の処理に移る。このステップＳＴ２７において、制御部２０３は、左眼シャッタ２００Ｌおよび右眼シャッタ２００Ｒの両方が開いた全開放状態となるように、シャッタ駆動部２０５を制御する。制御部２０３は、このステップＳＴ２７の処理の後、ステップＳＴ２２の処理に戻る。
【０１５２】
ステップＳＴ２４で該当ＩＤがあるとき、制御部２０３は、ステップＳＴ２５において、方向情報Ｄと、記憶部２０３の該当ＩＤの方向情報を比較し、値が近いＩＤを選択し、ID_selectとする。そして、制御部２０３は、ステップＳＴ２６において、記憶部２０３ａよりＡ[ID_select]のネットワークアドレス情報を取得する。そして、制御部２０３は、このステップＳＴ２６において、Ａ[ID_select]のネットワークアドレス情報により対応する画像表示装置からシャッタ制御信号を取得するように、無線通信部２０４を制御する。制御部２０３は、ステップＳＴ２６の処理の後、ステップＳＴ２２の処理に戻る。
【０１５３】
また、例えば、図１８のフローチャートは、制御部２０３が、シャッタ制御信号の取得制御処理を、位置情報を用いて行う手順の一例を示している。この場合、図１３に示す画像表示観察システム１０Ａにおいて、シャッタメガネ２００Ａが、位置センサ２０１Ｌを備えているものとする。制御部２０３は、ステップＳＴ３１において、制御処理を開始する。この制御処理は、例えば、シャッタメガネ２００Ａの電源をオンとすることで、開始される。
【０１５４】
次に、制御部２０３は、ステップＳＴ３２において、位置センサ２０１Ｌから方位置情報Ｌを取得する。そして、制御部２０３は、ステップＳＴ３３において、記憶部２０３ａより、位置情報Ｌが所定の閾値範囲内にある候補Ｌ[ID]を選択する。その後に、制御部２０３は、ステップＳＴ３４において、該当ＩＤ（組み合わせ）があるか否かを判断する。
【０１５５】
該当ＩＤがないとき、制御部２０３は、ステップＳＴ３７の処理に移る。このステップＳ３７において、制御部２０３は、左眼シャッタ２００Ｌおよび右眼シャッタ２００Ｒの両方が開いた全開放状態となるように、シャッタ駆動部２０５を制御する。制御部２０３は、このステップＳＴ３７の処理の後、ステップＳＴ３２の処理に戻る。
【０１５６】
ステップＳＴ３４で該当ＩＤがあるとき、制御部２０３は、ステップＳＴ３５において、位置情報Ｌと、記憶部２０３ａの該当ＩＤの位置情報を比較し、値が近いＩＤを選択し、ID_selectとする。そして、制御部２０３は、ステップＳＴ３６において、記憶部２０３ａよりＡ[ID_select]のネットワークアドレス情報を取得する。そして、制御部２０３は、このステップＳＴ２６において、Ａ[ID_select]のネットワークアドレス情報により対応する画像表示装置からシャッタ制御信号を取得するように、無線通信部２０４を制御する。制御部２０３は、ステップＳＴ３６の処理の後、ステップＳＴ３２の処理に戻る。
【０１５７】
上述の図１７、図１８のフローチャートに示す処理が行われる場合にあっても、メガネ状態（位置、方向の状態）に基づいて、シャッタ制御信号を取得すべき画像表示装置が特定される。そのため、複数の画像表示装置がある場合、特定の画像表示装置から他の画像表示装置に視線を移したとき、シャッタ制御信号を取得すべき画像表示装置が自動的に他の画像表示装置に特定され、この他の画像表示装置からシャッタ制御信号の取得が行われる。したがって、ユーザは、自ら画像表示装置を選択して切り換えることが不要となり、使い勝手が向上する。
【０１５８】
また、図１７、図１８のフローチャートに示す処理が行われる場合にあっても、観視方向や観視位置を変更して、特定の画像表示装置から視線を外した場合、左眼シャッタおよび右眼シャッタの両方が全開放とされる。そのため、ユーザは、シャッタメガネを装着したままであっても、周囲のものが見やすくなる。
【０１５９】
なお、この発明は、上述した各実施形態、あるいは変形例に限定されない。この発明の属する技術の分野における通常の知識を有する者であれば、特許請求の範囲に記載された技術的思想の範疇内において、各種の変更例または修正例に想到し得ることは明らかであり、これらについても、当然にこの発明の技術的範囲に属することとなる。
【産業上の利用可能性】
【０１６０】
この発明は、左眼画像および右眼画像を時分割で表示する画像表示装置との間で無線通信を行ってシャッタ制御信号を取得するシャッタメガネに適用できる。
【符号の説明】
【０１６１】
１０，１０Ａ・・・画像表示観察システム
１００，１００Ａ，１００Ｂ・・・画像表示装置
１０１・・・ＣＰＵ
１１２・・・デジタルチューナ
１１３・・・ビットストリーム処理部
１１４・・・３Ｄ信号処理部
１１６・・・映像信号制御部
１１７・・・ＬＣＤ駆動部
１１８・・・ＬＣＤパネル
１２３・・・ＨＤＭＩ端子
１２４・・・ＨＤＭＩ受信部
１２５・・・シャッタ制御部
１２６・・・無線通信部
１３０・・・シャッタ制御信号の送信系
２００，２００Ａ・・・シャッタメガネ
２００Ｌ・・・左眼シャッタ
２００Ｒ・・・右眼シャッタ
２０１・・・位置・方向センサ
２０２・・・ユーザ操作部
２０３・・・制御部
２０３ａ・・・記憶部
２０４・・・無線通信部
２０５・・・シャッタ駆動部
２０６・・・メガネ部
２１０・・・シャッタ制御信号の受信系
【図１】
2011205241.tif 000003
【図２】
2011205241.tif 000004
【図３】
2011205241.tif 000005
【図４】
2011205241.tif 000006
【図５】
2011205241.tif 000007
【図６】
2011205241.tif 000008
【図７】
2011205241.tif 000009
【図８】
2011205241.tif 000010
【図９】
2011205241.tif 000011
【図１０】
2011205241.tif 000012
【図１１】
2011205241.tif 000013
【図１２】
2011205241.tif 000014
【図１３】
2011205241.tif 000015
【図１４】
2011205241.tif 000016
【図１５】
2011205241.tif 000017
【図１６】
2011205241.tif 000018
【図１７】
2011205241.tif 000019
【図１８】
2011205241.tif 000020